(57)【要約】【課題】利用者間で共有された写真データが電子地図上に表示されるシステムにおいて、利用者にとって必要性の高い写真データを表示させること。【解決手段】携帯端末１０は、指定場所及び／又は指定時刻をサーバ２０へ送信するように構成された通信部１１と、サーバ２０から受信したデジタル写真をその撮影場所に応じて地図データに重ね合わせて表示するように構成された表示部１３と、を備える。サーバ２０は、デジタル写真とそれぞれの写真に関連づけられた撮影場所及び／又は撮影時刻とを記録する記憶部２３と、携帯端末１０から受信した指定場所と撮影場所とが所定の距離内に含まれ、かつ／又は、携帯端末１０から受信した指定時刻と撮影時刻とが所定の時間帯に含まれるデジタル写真を記憶部２３から抽出するように構成された写真抽出部２２と、抽出した写真を携帯端末１０へ送信するように構成された通信部２１と、を備える。【選択図】図１
2009134333.tif 000002
【特許請求の範囲】
【請求項１】
ネットワークを介して互いに通信することができる携帯端末とサーバとを備えたデジタル写真共有システム装置であって、
前記携帯端末は、指定場所及び／又は指定時刻を前記サーバへ送信するように構成された通信部と、
前記サーバから受信したデジタル写真をその撮影場所に応じて地図データに重ね合わせて表示するように構成された表示部と、を備え、
前記サーバは、デジタル写真とそれぞれの写真に関連づけられた撮影場所及び／又は撮影時刻とを記録する記憶部と、
前記携帯端末から受信した指定場所とデジタル写真に関連づけられた撮影場所とが所定の距離内に含まれ、かつ／又は、前記携帯端末から受信した指定時刻とその写真に関連づけられた撮影時刻とが所定の時間帯に含まれるデジタル写真を前記記憶部から抽出するように構成された写真抽出部と、
抽出した写真を前記携帯端末へ送信するように構成された通信部と、を備えたことを特徴とするデジタル写真共有システム装置。
【請求項２】
ネットワークを介して互いに通信することができる携帯端末とサーバとを備えたデジタル写真共有システム装置であって、
前記サーバは、デジタル写真とそれぞれの写真に関連づけられた撮影場所及び／又は撮影時刻とを記録する記憶部と、
記録した写真を前記携帯端末へ送信するように構成された通信部と、を備え、
前記携帯端末は、指定場所とデジタル写真に関連づけられた撮影場所とが所定の距離内に含まれ、かつ／又は、指定時刻とその写真に関連づけられた撮影時刻とが所定の時間帯に含まれるデジタル写真を前記サーバから受信したデジタル写真から抽出するように構成された写真抽出部と、
抽出したデジタル写真をその撮影場所に応じて地図データに重ね合わせて表示するように構成された表示部と、を備えたことを特徴とするデジタル写真共有システム装置。
【請求項３】
前記指定場所は、前記携帯端末の利用者によって入力された場所若しくは前記携帯端末の測位部によって測定された場所又は前記携帯端末と前記ネットワークとの間に設けられた基地局によって測定された場所のいずれかであることを特徴とする、請求項１又は２に記載のデジタル写真共有システム装置。
【請求項４】
前記指定時刻は、前記携帯端末の利用者によって入力された時刻又は前記携帯端末の計時部によって測定された時刻であることを特徴とする、請求項１ないし３のいずれか一に記載のデジタル写真共有システム装置。
【請求項５】
前記写真抽出部における所定時間帯は、一日のうちの所定の時間帯であることを特徴とする、請求項１ないし４のいずれか一に記載のデジタル写真共有システム装置。
【請求項６】
前記写真抽出部における所定時間帯は、一年のうちの所定の期間であることを特徴とする、請求項１ないし４のいずれか一に記載のデジタル写真共有システム装置。
【請求項７】
ネットワークを介して携帯端末と通信することができるサーバであって、
前記サーバは、デジタル写真とそれぞれの写真に関連づけられた撮影場所及び／又は撮影時刻とを記録する記憶部と、
前記携帯端末から受信した指定場所とデジタル写真に関連づけられた撮影場所とが所定の距離内に含まれ、かつ／又は、前記携帯端末から受信した指定時刻とその写真に関連づけられた撮影時刻とが所定の時間帯に含まれるデジタル写真を前記記憶部から抽出するように構成された写真抽出部と、
抽出した写真を前記携帯端末へ送信するように構成された通信部と、を備えたことを特徴とするサーバ。
【請求項８】
前記指定場所は、前記携帯端末の利用者によって入力された場所若しくは前記携帯端末の測位部によって測定された場所又は前記携帯端末と前記ネットワークとの間に設けられた基地局によって測定された場所のいずれかであることを特徴とする、請求項７に記載のサーバ。
【請求項９】
前記指定時刻は、前記携帯端末の利用者によって入力された時刻又は前記携帯端末の計時部によって測定された時刻であることを特徴とする、請求項７又は８に記載のサーバ。
【請求項１０】
前記写真抽出部における所定時間帯は、一日のうちの所定の時間帯であることを特徴とする、請求項７ないし９のいずれか一に記載のサーバ。
【請求項１１】
前記写真抽出部における所定時間帯は、一年のうちの所定の期間であることを特徴とする、請求項７ないし９のいずれか一に記載のサーバ。
【発明の詳細な説明】
【技術分野】
【０００１】
本発明はデジタル写真共有システム装置に関し、特に、利用者間で共有されたデジタル写真を電子地図上に表示するデジタル写真共有システム装置に関する。
【背景技術】
【０００２】
近年の携帯電話機は、カメラ（撮像）機能やネットワーク接続機能を備えたものが一般化しており、高解像度での撮影が可能なものも少なくない。また、ＧＰＳによる測位機能を持ち、現在位置を取得することができるものもある。
【０００３】
特許文献１において、現在位置周辺の地図画像の表示中、その表示中の地図画像領域内の対応する位置に、その位置を表わす情報（座標データ）が予め関連付けられた写真データに基づくシンボル画像を表示することができる、画像処理装置が開示されている。
【０００４】
また、特許文献２において、ＧＰＳ装置が接続されたカメラによって記録された撮影画像と、各撮影画像に対応して記録されたＧＰＳ情報とを読み取り、地図データを記憶する記録媒体から所望の地図データを読み出し、前記撮影画像の撮影場所を含む電子地図を表示手段に表示し、前記撮影画像とともに読み取ったＧＰＳ情報に基づいて各撮影画像のサムネイルを前記電子地図上の対応する位置に表示する、画像データ管理方法が開示されている。
【０００５】
また、特許文献３において、工事画像と紐付けられたＧＰＳ情報及び工事基本付加情報の読み込みを正確かつスピーディに行なうことができ、工事画像が電子地図上にマッピングされたマッピング画像、及び工事基本付加情報等を、ネットワークを通じて建設総責任者、現場建設責任者、及びその他のクライアント等が共有することができ、建設計画、報告書等に活用することができる、工事情報管理システムが開示されている。
【０００６】
【特許文献１】特開２００１−２８９６５０号公報
【特許文献２】特開平１０−２３３９８５号公報
【特許文献３】特開２００６−０７９２７８号公報
【発明の開示】
【発明が解決しようとする課題】
【０００７】
以下の分析は、本発明者によってなされたものである。
【０００８】
上記の特許文献１に開示された画像処理装置によって、利用者の現在位置に応じて、周辺で撮影された写真データが表示される。しかし、利用者の現在位置のみに基づいて表示された画像は、利用者が必要とするものであるとは限らない。例えば、昼間に夜景を撮影した写真データが表示されたり、夏に冬景色を撮影した写真データが表示されたりすることもあり得る。また、利用者によって指定された位置又は時期に限定して、写真データを参照したい場合にも適していない。
【０００９】
また、上記の特許文献２に開示された方法及び特許文献３に開示されたシステムによって、電子地図上に写真データをその位置情報に応じて表示するとともに、時刻情報や付加情報も併せて表示することができる。しかし、このとき表示される内容も、利用者の現在位置及び現在時刻を反映したものではない。また、利用者によって指定された位置又は時期に限定して、写真データを参照したい場合にも適合しない。
【００１０】
そこで、利用者間で共有された写真データが電子地図上に表示されるシステムにおいて、利用者にとって必要性の高い写真データを表示させることが課題となる。
【課題を解決するための手段】
【００１１】
本発明の第１の視点に係るデジタル写真共有システム装置は、ネットワークを介して互いに通信することができる携帯端末とサーバとを備えたデジタル写真共有システム装置であって、
前記携帯端末が、指定場所及び／又は指定時刻を前記サーバへ送信するように構成された通信部と、
前記サーバから受信したデジタル写真をその撮影場所に応じて地図データに重ね合わせて表示するように構成された表示部と、を備え、
前記サーバが、デジタル写真とそれぞれの写真に関連づけられた撮影場所及び／又は撮影時刻とを記録する記憶部と、
前記携帯端末から受信した指定場所とデジタル写真に関連づけられた撮影場所とが所定の距離内に含まれ、かつ／又は、前記携帯端末から受信した指定時刻とその写真に関連づけられた撮影時刻とが所定の時間帯に含まれるデジタル写真を前記記憶部から抽出するように構成された写真抽出部と、
抽出した写真を前記携帯端末へ送信するように構成された通信部と、を備えたことを特徴とする。
【００１２】
本発明の第２の視点に係るデジタル写真共有システム装置は、ネットワークを介して互いに通信することができる携帯端末とサーバとを備えたデジタル写真共有システム装置であって、
前記サーバが、デジタル写真とそれぞれの写真に関連づけられた撮影場所及び／又は撮影時刻とを記録する記憶部と、
記録した写真を前記携帯端末へ送信するように構成された通信部と、を備え、
前記携帯端末が、指定場所とデジタル写真に関連づけられた撮影場所とが所定の距離内に含まれ、かつ／又は、指定時刻とその写真に関連づけられた撮影時刻とが所定の時間帯に含まれるデジタル写真を前記サーバから受信したデジタル写真から抽出するように構成された写真抽出部と、
抽出したデジタル写真をその撮影場所に応じて地図データに重ね合わせて表示するように構成された表示部と、を備えたことを特徴とする。
【００１３】
第１の展開形態のデジタル写真共有システム装置は、前記指定場所が、前記携帯端末の利用者によって入力された場所若しくは前記携帯端末の測位部によって測定された場所又は前記携帯端末と前記ネットワークとの間に設けられた基地局によって測定された場所のいずれかであることが好ましい。
【００１４】
第２の展開形態のデジタル写真共有システム装置は、前記指定時刻が、前記携帯端末の利用者によって入力された時刻又は前記携帯端末の計時部によって測定された時刻であることが好ましい。
【００１５】
第３の展開形態のデジタル写真共有システム装置は、前記写真抽出部における所定時間帯が、一日のうちの所定の時間帯であってもよい。
【００１６】
第４の展開形態のデジタル写真共有システム装置は、前記写真抽出部における所定時間帯が、一年のうちの所定の期間であってもよい。
【００１７】
本発明の第３の視点に係るサーバは、ネットワークを介して携帯端末と通信することができるサーバであって、
前記サーバが、デジタル写真とそれぞれの写真に関連づけられた撮影場所及び／又は撮影時刻とを記録する記憶部と、
前記携帯端末から受信した指定場所とデジタル写真に関連づけられた撮影場所とが所定の距離内に含まれ、かつ／又は、前記携帯端末から受信した指定時刻とその写真に関連づけられた撮影時刻とが所定の時間帯に含まれるデジタル写真を前記記憶部から抽出するように構成された写真抽出部と、
抽出した写真を前記携帯端末へ送信するように構成された通信部と、を備えたことを特徴とする。
【００１８】
第５の展開形態のサーバは、前記指定場所が、前記携帯端末の利用者によって入力された場所若しくは前記携帯端末の測位部によって測定された場所又は前記携帯端末と前記ネットワークとの間に設けられた基地局によって測定された場所のいずれかであることが好ましい。
【００１９】
第６の展開形態のサーバは、前記指定時刻が、前記携帯端末の利用者によって入力された時刻又は前記携帯端末の計時部によって測定された時刻であってもよい。
【００２０】
第７の展開形態のサーバは、前記写真抽出部における所定時間帯が、一日のうちの所定の時間帯であってもよい。
【００２１】
第８の展開形態のサーバは、前記写真抽出部における所定時間帯が、一年のうちの所定の期間であってもよい。
【発明の効果】
【００２２】
本発明に係る、デジタル写真共有システム装置によって、携帯端末の利用者の置かれた時と場所又は、利用者に指定された時と場所に応じて、写真データを表示させることができる。すなわち、本発明に係るデジタル写真共有システム装置によって、利用者にとって必要性の高い写真データを表示させることができる。
【発明を実施するための最良の形態】
【００２３】
本発明の実施形態に係るデジタル写真共有システム装置について、図面を参照して説明する。デジタル写真共有システム装置は、図１を参照すると、ネットワーク３０を介して互いに通信することができる携帯端末１０とサーバ２０とを備える。
【００２４】
携帯端末１０は、通信部１１と表示部１３とを備える。通信部１１は、指定場所及び／又は指定時刻を前記サーバ２０へ送信する。表示部１３は、サーバ２０から受信したデジタル写真をその撮影場所に応じて地図データに重ね合わせて表示する。
【００２５】
サーバ２０は、記憶部２３と写真抽出部２２と通信部２１とを備える。記憶部２３は、デジタル写真とそれぞれの写真に関連づけられた撮影場所及び／又は撮影時刻とを記録する。写真抽出部２２は、携帯端末１０から受信した指定場所と撮影場所とが所定の距離内に含まれ、かつ／又は、携帯端末１０から受信した指定時刻と撮影時刻とが所定の時間帯に含まれるデジタル写真を記憶部２３から抽出する。通信部２１は、抽出した写真を携帯端末１０へ送信する。
【実施例】
【００２６】
図１は、本発明の実施例に係るデジタル写真共有システム装置の構成を示すブロック図である。デジタル写真共有システム装置は、図１を参照して、携帯端末１０、サーバ２０及びネットワーク３０を備え、携帯端末１０及びサーバ２０はネットワーク３０を介して通信が可能である。
【００２７】
携帯端末１０は、図１を参照すると、ネットワーク（公衆通信網）３０との無線通信を行うための通信部１１と、操作キーなどの入力部１２、ＬＣＤなどの表示部１３、スピーカ、バイブレータなどの出力部１４、撮像機能を持つ撮像部１５、これら各部の機能を制御する制御部（ＣＰＵ）１６、制御部１６による制御動作をプログラムとして格納するとともに各種のデータやパラメータを格納する記憶部１７と、携帯端末１０の現在位置を測定する測位部１８を備える。
【００２８】
サーバ２０は、図１を参照すると、ネットワーク３０との通信を行う通信部２１、送受信データの検索及び処理を行う写真抽出部２２、データを格納するデータベース２４を記録する記憶部２３を備える。
【００２９】
図２は撮影時の撮影情報登録におけるシーケンス図を示す。ユーザの指示によって携帯端末１０の撮像部１５は撮像を行い（ステップＳ１１）、撮像した画像を表示部１３はプレビューとして表示する（ステップＳ１２）。この時、その画像をサーバ２０に登録するか否かがユーザによって決定され、サーバ２０に登録する場合には、入力部１２へサーバ２０への登録要求が入力される（ステップＳ１３）。サーバ２０への登録要求がされた場合（ステップＳ１３のＹｅｓ）には、付加情報の有無が判定される（ステップＳ１４）。付加情報があるとき、すなわち、撮影した画像が例えば風景等であって特定の季節、時刻等に撮影できるものであるとき(ステップＳ１４のＹｅｓ)、その情報が付加情報としてデジタル写真に関連付けられる（ステップＳ１５）。次に、デジタル写真及び撮影時の位置情報、付加情報をサーバ２０に送信する（ステップＳ１６）。携帯端末１０は画像を保存し（ステップＳ１７）、処理を終える。
【００３０】
サーバ２０は、携帯端末１０から送信されたデータを受信し（ステップＳ１８）、デジタル写真及び位置情報、付加情報をデータベース２４に登録して（ステップＳ１９）処理を終了する。
【００３１】
図３には登録された撮影情報の検索時におけるシーケンス図を示す。まず、携帯端末１０の測位部１８によって現在位置を測位し、測位された位置情報をサーバ２０へ送信する（ステップＳ３１）。
【００３２】
サーバ２０は通信部２１によって位置情報を受信する（ステップＳ３２）。写真抽出部２２は、受信した位置情報に基づいて、記憶部２３のデータベース２４に登録されているデジタル写真から付近で撮影された画像データを抽出する（ステップＳ３３）。通信部２１は、抽出された画像データを付加情報、地図データとともに携帯端末１０へ送信する（ステップＳ３４）。なお、地図データについては携帯端末１０において記録しておいても良い。
【００３３】
携帯端末１０はサーバ２０から送信されたデータを受信する（ステップＳ３５）。この時、適当な条件で画像の付加情報データにフィルタをかけ、該当する画像については表示しないものとする（ステップＳ３６）。例えば、本日中に撮影可能、一定時間内に撮影可能なものに限って表示させるなどのフィルタをかけてもよい。なお、サーバ２０の写真抽出部２２が、検索時（ステップＳ３３）において、このフィルタをかける構成としてもよい。
【００３４】
受信した地図データ、画像データに基づいて、携帯端末１０の表示部１３に、図４のような現在位置を中心とした地図上に画像のサムネイルが表示される（ステップＳ３７）。ユーザが入力部１２を介して、表示された画像から詳細情報を知りたいものを選択した場合（ステップＳ３８）、その画像の詳細情報、撮影可能な地点までのルート、所要時間等が表示される（ステップＳ３９）。
【００３５】
以上の記載は実施例に基づいて行ったが、本発明は、上記実施例に限定されるものではない。
【図面の簡単な説明】
【００３６】
【図１】本発明の実施例に係るデジタル写真共有システム装置の構成を示すブロック図である。
【図２】本発明の実施例に係るデジタル写真共有システム装置の動作を示すシーケンス図である。
【図３】本発明の実施例に係るデジタル写真共有システム装置の動作を示すシーケンス図である。
【図４】本発明の実施例に係るデジタル写真共有システム装置において、携帯端末に表示される画像の一例を示す図である。
【符号の説明】
【００３７】
１０  携帯端末
１１、２１  通信部
１２  入力部
１３  表示部
１４  出力部
１５  撮像部
１６  制御部（ＣＰＵ）
１７、２３  記憶部
１８  測位部
１９  計時部
２０  サーバ
２２  写真抽出部
２４  データベース
３０  ネットワーク
【図１】
2009134333.tif 000003
【図２】
2009134333.tif 000004
【図３】
2009134333.tif 000005
【図４】
2009134333.tif 000006